(57)【要約】      （修正有）【課題】開封前の状態では湯出口用タブにより湯出口を確実に閉塞出来、容器内部に微細な塵埃等が侵入することがないインスタント食品用容器の湯切り構造を提供する。【解決手段】蓋体Ａの天板２ａのコーナー部に下方に斜めに突出した状態の湯出口用タブ３を設け、蓋体Ａの垂下縁２ｂを容器本体Ｂの開口縁に外嵌した際に容器本体Ｂの開口部のフランジが湯出口用タブ３を下方から押し上げる構成としたことを特徴とする。【選択図】図１
0003162961.tif 000002
【実用新案登録請求の範囲】
【請求項１】
インスタント食品用容器の湯切り構造であって、
天板と、該天板の外周に容器本体の開口縁に外嵌し得る垂下縁とを有する蓋体の前記天板のコーナー部に下方に斜めに突出した状態の湯出口用タブを設け、前記蓋体の垂下縁を前記容器本体の開口縁に外嵌した際に前記容器本体の開口部のフランジが前記湯出口用タブを下方から押し上げることを特徴とするインスタント食品用容器の湯切り構造。
【請求項２】
前記湯出口用タブは前記天板の一部を切り欠いて形成され、その切り欠きの切断面は前記容器本体側に向かって狭くなる傾斜面により形成され、前記蓋体の下面と前記湯出口用タブの上面とがオーバーラップして該湯出口用タブが前記蓋体の下面側に係止されることを特徴とする請求項１に記載のインスタント食品用容器の湯切り構造。
【請求項３】
前記容器本体を角型容器としたことを特徴とする請求項１または請求項２に記載のインスタント食品用容器の湯切り構造。
【考案の詳細な説明】
【技術分野】
【０００１】
本考案は、インスタント食品を収納して調理し得るインスタント食品用容器の湯切り構造に関するものである。
【背景技術】
【０００２】
容器本体内に乾麺などを保持し、湯を注ぐことによってこれを食べることが出来る状態に戻すインスタント食品用容器は、多様なものが開発されている。インスタント食品の中でも乾麺の戻しに使われた湯を棄てる必要がある焼きそばやスパゲッティなどのインスタント食品では、容器の蓋体を別体として、そこに湯切り穴を設けて湯を棄てるという構造の容器が一般的となっている。
【０００３】
例えば、特開２００６−１４３２２８号公報（特許文献１）には、蓋体の天板の一方のコーナー部に上方に斜めに突出した湯出口用タブを設け、他方のコーナー部に下方に斜めに突出した吸気口用タブを設け、蓋体が被蓋される容器本体の開口部に吸気口用タブを押し上げるフランジを設けたことが記載されている。
【先行技術文献】
【特許文献】
【０００４】
【特許文献１】特開２００６−１４３２２８号公報
【考案の概要】
【考案が解決しようとする課題】
【０００５】
しかしながら、前述の特許文献１の技術では、蓋体の天板の一方のコーナー部に上方に斜めに突出した湯出口用タブが設けられているため天板と湯出口用タブとの間に隙間が形成されており、全体を薄いフィルムでシュリンク包装したとしてもフィルムには微細な孔が設けられていることもあり、それらの微細な隙間を通して容器内部に微細な塵埃等が侵入する可能性もある。
【０００６】
本考案は前記課題を解決するものであり、その目的とするところは、開封前の状態では湯出口用タブにより湯出口を確実に閉塞出来、容器内部に微細な塵埃等が侵入することがないインスタント食品用容器の湯切り構造を提供せんとするものである。
【課題を解決するための手段】
【０００７】
前記目的を達成するための本考案に係るインスタント食品用容器の湯切り構造の第１の構成は、インスタント食品用容器の湯切り構造であって、天板と、該天板の外周に容器本体の開口縁に外嵌し得る垂下縁とを有する蓋体の前記天板のコーナー部に下方に斜めに突出した状態の湯出口用タブを設け、前記蓋体の垂下縁を前記容器本体の開口縁に外嵌した際に前記容器本体の開口部のフランジが前記湯出口用タブを下方から押し上げることを特徴とする。
【０００８】
また、本考案に係るインスタント食品用容器の湯切り構造の第２の構成は、前記第１の構成において、前記湯出口用タブは前記天板の一部を切り欠いて形成され、その切り欠きの切断面は前記容器本体側に向かって狭くなる傾斜面により形成され、前記蓋体の下面と前記湯出口用タブの上面とがオーバーラップして該湯出口用タブが前記蓋体の下面側に係止されることを特徴とする。
【０００９】
また、本考案に係るインスタント食品用容器の湯切り構造の第３の構成は、前記第１、第２の構成において、前記容器本体を角型容器としたことを特徴とする。
【考案の効果】
【００１０】
本考案に係るインスタント食品用容器の湯切り構造の第１の構成によれば、蓋体の垂下縁を容器本体の開口縁に外嵌した際に該容器本体の開口部のフランジが湯出口用タブを下方から押し上げることで湯出口用タブにより湯出口を確実に閉塞出来、容器内部に微細な塵埃等が侵入することがない。
【００１１】
また、本考案に係るインスタント食品用容器の湯切り構造の第２の構成によれば、湯出口用タブの切り欠きの切断面が容器本体側に向かって狭くなる傾斜面により形成され、蓋体の下面と湯出口用タブの上面とがオーバーラップして該湯出口用タブが該蓋体の下面側に係止されることで湯出口用タブにより湯出口を確実に閉塞出来、容器内部に微細な塵埃等が侵入することがない。
【００１２】
前記容器本体を角型容器としたことで、湯切りがし易く、収納や輸送時にコンパクトになるため資材費、物流費のコストダウンを図ることが出来る。
【図面の簡単な説明】
【００１３】
【図１】蓋体の垂下縁を容器本体の開口縁に外嵌して透明シートでシュリンク包装した状態を示す斜視図である。
【図２】蓋体を示す斜視図である。
【図３】蓋体に設けられる湯出口用タブの構成を示す断面説明図である。
【図４】図２のＤ−Ｄ断面図であり、（ａ）は蓋体の天板の一部を切り欠いて湯出口用タブを形成した様子を示す断面説明図、（ｂ）は蓋体の下面と湯出口用タブの上面とがオーバーラップして該湯出口用タブが該蓋体の下面側に係止される様子を示す断面説明図、（ｃ）は蓋体の天板から湯出口用タブが下方に斜めに突出した状態を示す断面説明図である。
【図５】容器本体の開口部のフランジが湯出口用タブを下方から押し上げる様子を示す平面説明図である。
【図６】（ａ）は蓋体を容器本体に嵌合する様子を説明する断面説明図、（ｂ）は容器本体の開口部のフランジが湯出口用タブを下方から押し上げることで湯出口用タブにより湯出口を閉塞する様子を示す断面説明図である。
【考案を実施するための形態】
【００１４】
図により本考案に係るインスタント食品用容器の湯切り構造の一実施形態を具体的に説明する。図１及び図６（ｂ）に示すように、インスタント食品用容器は、蓋体Ａと容器本体Ｂとから構成され、熱により収縮する薄い透明シート30によりシュリンク包装されている。本実施形態のインスタント食品用容器は、インスタント焼きそば用の容器であって、蓋体Ａ及び容器本体Ｂとも、平面形状が長方形の角型容器として構成している。容器本体Ｂの内側には、例えば図６に示すように中容器Ｃが内装されているが、中容器Ｃは必ずしも必要なものではなく、容器本体Ｂのみであっても食品用容器としての機能を奏する。このため、以後の説明で単に「容器本体Ｂ」と記載した場合でもこの容器本体Ｂに中容器Ｃを含むことがある。
【００１５】
容器本体Ｂは、図６に示すように、容器としての機能を発揮するための立ち上がり壁１ａと、該立ち上がり壁１ａの上端部分である、容器本体Ｂの開口部の周縁を構成するフランジ１ｂと、該フランジ１ｂのさらに外周から下向きに形成された垂下片１ｃとを有しており、フランジ１ｂ及び垂下片１ｃにより容器本体Ｂの剛性を高める構造となっている。
【００１６】
インスタント焼きそば等のインスタント食品を収納する容器は、容器内に１００℃近い熱湯を注入するためと、かつ熱湯で調理したインスタント食品を食するに当っては、容器を手で持つので、一般的には容器本体Ｂの中に、例えば図６に示す如く、同一形状の中容器Ｃが嵌入され、容器は二重壁で構成されている。乾麺などの食品はこの中容器Ｃに収納されている。しかし、以下の説明では、便宜的に中容器Ｃを省略し、容器本体Ｂとして説明する。従って、容器本体Ｂのフランジ１ｂと表現する場合には中容器Ｃのフランジ１ｂをも含むものとする。
【００１７】
蓋体Ａは図１〜図３及び図６に示すように、所定の凹凸が形成された天板２ａと、該天板２ａの周りを取り囲むように下方向に垂下された垂下縁２ｂとより形成されている。図６（ｂ）に示すように、蓋体Ａを容器本体Ｂに被蓋した際には、蓋体Ａの天板２ａの周辺部が容器本体Ｂのフランジ１ｂ上に載置され、かつ蓋体Ａの垂下縁２ｂが容器本体Ｂの垂下片１ｃに被覆されて蓋体Ａが容器本体Ｂに嵌合されるように構成されている。
【００１８】
蓋体Ａの天板２ａの一方のコーナー部には、図１〜図６に示す３個の湯出口用タブ３が天板２ａの下方斜めに容器本体Ｂ側に向って突出するように設けられている。
【００１９】
湯出口用タブ３は天板２ａの一部を切り欠いて３方が打抜かれて矩形状に形成されており、その根本部に該湯出口用タブ３の開閉方向と直行する方向に設けられた溝部３ａを支点として先端部が下方に斜めに突出するように構成されている。
【００２０】
図６（ｂ）に示すように、蓋体Ａの垂下縁２ｂを容器本体Ｂの開口縁に外嵌した際に容器本体Ｂの開口部のフランジ１ｂが湯出口用タブ３を下方から押し上げるようになっている。３個の湯出口用タブ３は、図５に示すように、容器本体Ｂの開口部のフランジ１ｂのコーナー部の角部とその両辺にそれぞれ２ｍｍ以上重なるように当接される。
【００２１】
天板２ａの一部を切り欠いて形成された湯出口用タブ３の切り欠きの切断面は、図４に示すように、下方となる容器本体Ｂ側に向かって狭くなる傾斜面３ｂにより形成され、図４（ｂ）に示すように、蓋体Ａの天板２ａの下面２ｃと湯出口用タブ３の上面３ｃとがオーバーラップして該湯出口用タブ３が蓋体Ａの天板２ａの下面２ｃ側に係止される。
【００２２】
湯出口２ｄより湯を排水する場合には、天板２ａの下面２ｃに上面３ｃがオーバーラップして係止された湯出口用タブ３を上方に押し上げて湯出口２ｄから外側に折り曲げて湯出口２ｄを開き、湯を排水することが出来る。
【００２３】
図１或は図６（ｂ）に示すように、蓋体Ａを容器本体Ｂに被蓋し、かつこれ等の外周を熱によって収縮する透明シート30によってシュリンク包装した場合には、該透明シート30による押圧力が容器全体にかかり、蓋体Ａを容器本体Ｂに強く嵌合させることが出来る。従って、容器本体Ｂのフランジ１ｂによって湯出口用タブ３を押し上げて、該湯出口用タブ３を天板２ａと同一の高さに維持させ、湯出口用タブ３の打抜きによって形成された湯出口２ｄを確実に閉鎖することが出来る。
【００２４】
このように、蓋体Ａを容器本体Ｂに被蓋し、かつ透明シート30でシュリンク包装することによって、本発明に係る食品用容器内をほぼ完全に気密状態に保つことが出来、これによって食品用容器内に収納されたインスタント食品を長期間に亘って安全な状態で保護することが出来る。
【００２５】
上記構成によれば、蓋体Ａの垂下縁２ｂを容器本体Ｂの開口縁に外嵌した際に該容器本体Ｂの開口部のフランジ１ｂが湯出口用タブ３を下方から押し上げることで湯出口用タブ３により湯出口２ｄを確実に閉塞出来、容器内部に微細な塵埃等が侵入することがない。
【００２６】
また、湯出口用タブ３の切り欠きの切断面が容器本体Ｂ側に向かって狭くなる傾斜面３ｂにより形成され、蓋体Ａの下面２ｃと湯出口用タブ３の上面３ｃとがオーバーラップして該湯出口用タブ３が該蓋体Ａの下面２ｃ側に係止されることで湯出口用タブ３により湯出口２ｄを確実に閉塞出来、容器内部に微細な塵埃等が侵入することがない。
【００２７】
容器本体Ｂを角型容器としたことで、コーナー部から湯切りがし易く、収納や輸送時にコンパクトになるため資材費、物流費のコストダウンを図ることが出来る。
【産業上の利用可能性】
【００２８】
本考案の活用例として、インスタント食品を収納して調理し得るインスタント食品用容器の湯切り構造に適用できる。
【符号の説明】
【００２９】
Ａ    …蓋体
Ｂ    …容器本体
Ｃ    …中容器
１ａ  …立ち上がり壁
１ｂ  …フランジ
１ｃ  …垂下片
２ａ  …天板
２ｂ  …垂下縁
２ｃ  …下面
２ｄ  …湯出口
３    …湯出口用タブ
３ａ  …溝部
３ｂ  …傾斜面
３ｃ  …上面
30    …透明シート
【図１】
0003162961.tif 000003
【図２】
0003162961.tif 000004
【図３】
0003162961.tif 000005
【図４】
0003162961.tif 000006
【図５】
0003162961.tif 000007
【図６】
0003162961.tif 000008